(57)【要約】      （修正有）【課題】腰部障害は、現代病・国民病などともと云われて、深刻な社会的関心事となっています。従来の他力依存の直線的療法観から一転して、視点をソフトパワーとして内在する「自然治癒機能」や「自己修復機能」を引き出すことができる快眠腰枕式腰椎癒しバランサーを提供する。【解決手段】身体に、本然的に潜在する自然治癒力・自己修復力が腰部障害や正常な健康維持に作用する強力な内発力の反応を促す手段として構成されたバランサーです。「腰枕式」として、中央に夫々２枚の平面状に突起した「療座」と「憩座」を配列装着した台板に円面棒状の「平衡翼」と「押圧玉」を機能的に左右を均衡させるごとく、均衡枠状に構成された腰枕式バランサーです。【選択図】図１
2006034904.tif 000002
【特許請求の範囲】
【請求項１】
身体に潜在する「自然治癒機能・自己修復機能」が薬理作用ないし外的刺激作用などとの関係において反応しては、様々に具体的「治癒力・修復力」として顕れる特性をもっています。それらの自律的内発力の反応を促し、且つ作用を強力に補助するために、外圧的諸条件を調整統合し、合理に徹して構成された「快眠腰枕式腰椎癒しバランサー」です。
「腰枕式」とし、中央に２枚の平面状に突起した「療座」と２枚の「憩座」を配列装着した台板に円面棒状の「平衡翼」と「押圧玉」を機能的に左右を均衡させるごとく、均衡枠状に構成されたものです。
【発明の詳細な説明】
【技術分野】
【０００１】  身体には、潜在的知恵として「自然治癒力・自己修復力」が本然的に具わっています。
その「自然治癒機能・自己修復機能」等は薬理作用ないし外的刺激作用等との関係において反応しては、様々に具体的治癒力・自己修復力として顕れる特性をもっています。
この発明は、以上の原理・法則を応用し、腰椎から仙骨・骨盤等をはじめ、胸腔椎骨と脊髄等の歪み・ずれ・変形などから発症する障害、更に疲労し緊張した筋肉や靭帯等の「こり障害」・異常状態を即効的に癒すばかりでなく、元の正常な健康状態へ引き戻す「主役」となる「自然治癒力・自己修復力」を強力に引き出すための脇役に適う如く、諸条件を調整統合して構成されたバランサーです。
「腰枕式」として、中央に２枚の平面状に突起した「療座」と２枚の「憩座」を配列装着した台板に円面棒状の「平衡翼」と「押圧玉」を機能的に左右を平衡させるごとく、均衡枠状に構成された「快眠腰枕式腰椎癒しバランサー」に関するものです。
【背景技術】
【０００２】  腰痛障害は、その原因が様々明かされている中で、生活様式の現代化がもたらしたところの骨格のずれ・歪みや変形から起こるところの腰部疾患がその大半を占めているといわれます。
従来、腰部の鎮痛療法や整体療法、更には電気的・機械的・薬学的・薬理的ないし磁力線療法から鍼灸療法や按摩療法等にいたるまで、その多くは、他力依存の域を出るものはなく、然も、場当たり的対処療法を通例としています。また、患部が深いところにあることから技術的な巧拙の是非と危険性、加えて、治療が長期にわたることが常で、予測のつきがたい経済的負担などが、苦痛と不安感を醸しています。
今、社会は、国民病ともいわれる深刻な課題を擁しながら、従来の療法観を直線的に観ていく限り、時代・社会の要請に応えて、時流に立ち向かうには無理があります。視点を身体に持つ、内発的「自然治癒力」や「自己修復力」に注ぎ、発想をそれらの自律的内発力の反応を促し、作用を強力に補助する「脇役的療具」を創る事にある、と考えます。即ち、内発的自然治癒力や自己修復力を「主役」として応用しつつ、自然に、安全に、効率よく、“眠りや休息の間”に治癒・修復が自力で何時でも、容易に可能な実効性と利便性のある療法が時流として望まれます。
【発明の開示】
【発明が解決しようとする課題】
【０００３】▲１▼生活様式の現代化がすすむ中で腰部障害は現代病・国民病などともいわれるほどに、深刻な社会悪現象として課題を投げかけています。これらの腰部障害は、軽症であっても一度腰部に異常を抱えれば、他力に依存する以外に術がなく、しかも、対処的に一時的な鎮痛や癒しは可能であっても、絶え間ない発症が続くことは、多くの場合避けられないものです。何故ならば、腰痛などの障害は骨盤や腰椎・胸椎と脊髄などの歪み・ずれ・変形などがら起こることが常であり、更に、筋肉の疲労や靭帯の緊張を要因として発症することが多いからです。
▲３▼他力依存の療法であれば、生活上の不安や時間的不都合と煩わしさに加えて、予測のつきがたい経済的負担など、負の現実が苦悩をなして、限りなく圧し掛かります。
▲４▼これらの社会的要請に応えて課題を解決するために、既存の療法観から視点をソフトパワーとして内在する「自然治癒機能」や「自己修復機能」に注ぎ、これらの自律的内発力の反応を促す方法と実施が休息しながらでも、また就寝の間にも、自力で自在に可能な軽便且つ実効性に勝れた理想的療法の実現を目指すことこそが、時の要請として望まれる、と考えます。
【課題を解決するための手段】
【０００４】  この発明は、従来の他力依存を通例とした療法、即ち、対処的で一時的な鎮痛や癒しから一転して、発想の視座を換え、本来、身体が内発性として持っている知恵、つまり、自律的「自然治癒力」や「自己修復力」に反応を促して引き出す手段として構成されたものです。
均衡した２枚の平面状に突起した「療座」と２枚の「憩座」を配列装着した台板の左右に２基の円面棒状の平衡翼と押圧玉２個を、それぞれ高さと大きさ・形状とを吟味配列して装着し、腰椎と仙骨を中心として、更に胸腔椎骨と脊髄など、どの部位にも按配よく適合する如く、諸条件を調整し統合して合理に徹して「快眠腰枕式腰椎癒しバランサー」として構成されたものです。
仙骨や骨盤・腰椎を中心に胸椎の部位にいたるまで、疲労からの筋肉のこりや痛み、骨格の歪み・ずれ・変形不均衡が、ただ発症部位を、このバランサーに、そーっと載せ置き、安定させるだけで、即効的に自然治癒・修復が容易に可能です。バランサー効果によって、押圧刺激され内発的「自然治癒力」や「自己修復力」の反応を促しながら、鎮痛や癒し療法にとどまらず、元の正常な健康状態に引き戻していく、画期的な療法です。一方、日常的に美容と健康維持に欠かせない予防療法具として有効性と安全性が高く、自由自在に療法が可能な上に、経済性と利便性の上からも持続に繋がる要素と癒しの心地よさが具えられています。
【発明の効果】
【０００５】本発明の使い方と効果を説明します。
１）就寝姿勢で、先ず、図２の「仙骨」にあたる部位を図１▲１▼療座」にただ載せるだけで、自己修復力・自然治癒力の反応作用がバランサー効果によって促されます。腰椎や骨盤・仙骨の歪みやずれ・変形によって左右が不均衡状態になっているものがバランサーの平衡枠に落ちつくことによって、腰部は抱き支えられるように気持ちよく安定します。患部は腰部体重の重みを伴い、重圧が中心部に集められる如く“歪んだり・傷んだり・疲労して患う「腰」”が元の正常な健康状態に、無理なく自然に修復・治癒される仕組です。
２）次いで、腰部から第三胸椎あたりまでの背中の異常と疲労や緊張から凝り固まった筋肉や靭帯をほぐして血流を促進し、反射部位の内蔵機能の活性を促します。
このプロセスは５分〜１０分を目安にします。
３）本器を徐々に「腰椎」の節々を辿りながら、安定した触感と“効き心地”を堪能しながら、その中で、最も納まり具合の良い場所を選んで「快眠」の場にします。
「眠り」の間に、自然治癒力と自己修復力は「バランサー効果」によって反応を促され、健康へのリフレッシュを果たしてくれます。特に、スポーツマンや激しい肉体労働に携わる人々には欠かせない最適ものです。
４）疲労の激しい大殿筋や中殿筋から大腿筋⇒委中⇒脹脛⇒アキレス腱等を「平衡翼」と「押圧玉」に載せ、ほぐしながら血行を促進してリフレッシュします。
５）腰痛や背中のこりに即効が認められる外、不眠症や眠りが浅い、肩・首の凝り性、便秘、冷え性、食欲不振、更年期障害、いらいら症候群、不整脈、股関節の硬直等にも有効性がみとめられています。
６）本発明は、木製を最適とするも、ナフサ系プラスチックやユリア樹脂やラバー系乃至金属類などによる成型物としても可能です。更に、骨密度が低くなった高齢者などのためには、バランサーと患部との接触面の押圧度を和らげるために、療座や憩座の接触面積や個数を加減して、自在に調整することが可能です。
【発明を実施するための最良の形態】
【０００６】  腰部は数１０ｋｇの上体を支えている「要」である故に、一度、障害が生じた時には神経を弾かれるような激痛が伴うものです。腰痛にしても、また健全を維持するためにも、その対応に欠かせない手段は、無理なく、慎重に優しく、自然の流れに随うように柔軟な対処が望まれます。
本発明は、身体にソフトパワーとして潜在している自然治癒力や自己修復力が環境条件との関係性に反応して働きを顕わす、その原理と特性を応用して構成されたものです。
即ち、潜在する自然治癒力と自己修復力を具体的働きとして引き出すに相応しい環境条件の調整統合が不可欠です。その形態を“腰枕式”として、中央に均衡して夫々２枚の療座と憩座を装着した台板に、平衡翼と押圧玉を左右に均衡させて配列装着し、腰部が安定して収まり、癒し憩うに快適なごとく平衡枠状に構成されたバランサーです。即効的有効性と健康維持予防療法の両面に適合する如く合理に徹して構成されています。
【図面の簡単な説明】
【０００７】
【図１】本発明の斜視図と部品の名称です
【図２】骨盤と仙骨・腰椎・胸椎にそった「つぼ」の略図です
【図１】
2006034904.tif 000003
【図２】
2006034904.tif 000004